(57)【要約】【課題】情報処理装置を電子機器に搭載する時の使い勝手を損なうことなく残留振動を低減すること。【解決手段】電子機器の上側シャーシ２０には、ＨＤＤ１０の板バネ４０と対向する位置に当該板バネ４０を付勢するとともにロック可能なフック７０を備える。ＨＤＤ１０は、当該フック７０によって当該板バネ４０が付勢され、かつ、上側シャーシ２０により板バネ５０が付勢された状態でシャーシ２０，３０間に搭載されている。フック７０は、鍵６０の操作により板バネ４０に対して押圧自在に設けられ、ＨＤＤ１０が所定位置に搭載された後に板バネ４０に当接してこれを付勢する。また、フック７０の舌片部７０ａが板バネ４０のフック受け穴４０ｃに係合した状態で鍵６０をロックできるように構成されている。【選択図】        図１
2006146616.tif 000002
【特許請求の範囲】
【請求項１】
電子機器の筐体に対し所定の押圧力を付与する付勢手段を備えた情報処理装置を当該電子機器内に当該付勢手段を介して搭載する情報処理装置の搭載構造において、
前記電子機器は、前記情報処理装置の前記付勢手段と対向する位置に当該付勢手段を付勢する突起部を備え、
前記情報処理装置は、当該突起部によって当該付勢手段が付勢された状態で前記電子機器に搭載されていることを特徴とする情報処理装置の搭載構造。
【請求項２】
前記突起部および前記付勢手段は、前記情報処理装置の奥行き方向に沿って複数設けられていることを特徴とする請求項１に記載の情報処理装置の搭載構造。
【請求項３】
前記突起部は、前記付勢手段に対して進退自在に設けられ、前記情報処理装置が前記電子機器の所定位置に搭載された後に当該付勢手段を付勢したことを特徴とする請求項１または２に記載の情報処理装置の搭載構造。
【請求項４】
前記突起部および前記付勢手段は、互いに係合可能に設けられているとともに、当該突起部は、当該付勢手段と係合した状態を維持可能なロック機構として形成されていることを特徴とする請求項３に記載の情報処理装置の搭載構造。
【請求項５】
前記付勢手段は板バネからなり、前記突起部と係合する係合穴を備えたことを特徴とする請求項４に記載の情報処理装置の搭載構造。
【発明の詳細な説明】
【技術分野】
【０００１】
この発明は、Ｈａｒｄ  Ｄｉｓｋ  Ｄｒｉｖｅ（以下、「ＨＤＤ」と略称する）等の情報処理装置をディスクアレイ装置等の電子機器に搭載する情報処理装置の搭載構造に関し、更に詳しくは、情報処理装置を電子機器に搭載する時の使い勝手を損なうことなく残留振動を低減することができる情報処理装置の搭載構造に関する。
【背景技術】
【０００２】
ＨＤＤのアクチュエータ先端部のヘッド（データ読み取り部）が、目標とするトラックのセンターに位置決めされるまでの間、いわゆる残留振動が生じる。この残留振動は、上記アクチュエータの移動や媒体の回転によってＨＤＤ自身が揺れてしまう自己振動と、搭載するロッカの揺れや、電子機器にＨＤＤを複数台搭載した場合に他のＨＤＤから伝わってくる外部振動によって発生する。
【０００３】
これらの振動により上記ヘッドが、目標とするトラックから外れる現象（オフトラック現象）が発生し、装置性能低下の原因となることが知られている。したがって、このような残留振動を低減するためには、ＨＤＤの振動を抑制することが必要である。ＨＤＤの振動を抑制する手段として、図１０および図１１に示す技術が公知である。
【０００４】
図１０は、従来の情報処理装置の搭載構造を示す側面図、図１１は、図１０のＣ部を示す拡大図である。図１０に示すように、ＨＤＤ１０は、上記電子機器の上側シャーシ１２０および下側シャーシ１３０間に搭載される。上側シャーシ１２０と下側シャーシ１３０との間隔は、ＨＤＤ１０の高さ寸法よりも若干大きく設定されている。
【０００５】
また、ＨＤＤ１０には、その天井面、正面および底面を囲むようにコ字状の支持体１５が設けられている。この支持体１５の天井面の前部および後部には、板バネ１４０，１５０がそれぞれ設けられている。
【０００６】
板バネ１４０，１５０は、図１０および図１１に示すように、ＨＤＤ１０をシャーシ１２０，１３０間に挿入する時および挿入完了後に上側シャーシ１２０と当接することとなり、その付勢力によって上記残留振動の低減を図ろうとしている。なお、このような板バネ手段を用いてＨＤＤを電子機器に搭載する技術が、たとえば特許文献１に開示されている。
【０００７】
【特許文献１】特開２００１−２０２７６７号公報
【発明の開示】
【発明が解決しようとする課題】
【０００８】
上述したように、残留振動低減のためにはＨＤＤの振動を抑制することが必要であり、この残留振動対策として上記板バネ１４０，１５０を硬くすることが考えられる。しかしながら、上記板バネ１４０，１５０を単純に硬くすると、板バネ１４０，１５０と上側シャーシ１２０の摩擦力およびＨＤＤ１０と下側シャーシ１３０との摩擦力が増え、ＨＤＤ１０をシャーシ１２０，１３０間に挿入しづらくなり、使い勝手が悪くなってしまうという課題があった。
【０００９】
また、複数のＨＤＤを搭載する電子機器として、たとえばディスクアレイ装置が知られている。このディスクアレイ装置は、残留振動対策機構とデータ機密保持のために、ＨＤＤを容易に持ち出しできないようにセキュリティ機構（ロック機構）を備えていることが多い。
【００１０】
しかしながら、上記残留振動対策機構とセキュリティ機構（ロック機構）は一体化されておらず、当該各機構を個々に備えているため、部品点数が多くなり、装置構造が複雑化してしまうという課題もあった。
【００１１】
この発明は、上記に鑑みてなされたものであって、情報処理装置を電子機器に搭載する時の使い勝手を損なうことなく残留振動を低減することができる情報処理装置の搭載構造を提供することを目的とする。
【００１２】
また、この発明は、残留振動を低減する機構とセキュリティ機構とを簡易な構成にて一体化することができる情報処理装置の搭載構造を提供することを目的とする。
【課題を解決するための手段】
【００１３】
上述した課題を解決し、目的を達成するために、本発明（請求項１）は、電子機器の筐体に対し所定の押圧力を付与する付勢手段を備えた情報処理装置を当該電子機器内に当該付勢手段を介して搭載する情報処理装置の搭載構造において、前記電子機器は、前記情報処理装置の前記付勢手段と対向する位置に当該付勢手段を付勢する突起部を備え、前記情報処理装置は、当該突起部によって当該付勢手段が付勢された状態で前記電子機器に搭載されていることを特徴とするものである。
【００１４】
したがって、この発明によれば、情報処理装置を電子機器の筐体内に挿入する時に付勢手段に付勢力が生じるのは、突起部と当接する時のみであるから、情報処理装置の挿入時に常に当該付勢手段による摩擦力を受けていることはない。したがって、付勢手段の強さを従来の付勢手段より大きく設定しても、情報処理装置を電子機器の筐体内に円滑に挿入することができ、その搭載後は残留振動を更に低減することができる。
【００１５】
また、本発明（請求項２）は、前記突起部および前記付勢手段は、前記情報処理装置の奥行き方向に沿って複数設けられていることを特徴とするものである。
【００１６】
したがって、この発明によれば、低減すべき振動量に応じて突起部および付勢手段の配設個数を柔軟に調整することができる。また、振動が増幅しやすい情報処理装置の前後端部において振動の増幅が効果的に抑制される。
【００１７】
また、本発明（請求項３）は、前記突起部は、前記付勢手段に対して進退自在に設けられ、前記情報処理装置が前記電子機器の所定位置に搭載された後に当該付勢手段を付勢したことを特徴とするものである。
【００１８】
したがって、この発明によれば、情報処理装置を所定の搭載位置に位置決めしてから、付勢手段を突起部によって押圧して付勢力を増大させ、残留振動を低減することができるので、情報処理装置を電子機器の筐体内に挿入して搭載する時に、付勢手段と筐体との摩擦力が増大することがなく、搭載時の使い勝手を損なうことがない。
【００１９】
また、本発明（請求項４）は、前記突起部および前記付勢手段は、互いに係合可能に設けられているとともに、当該突起部は、当該付勢手段と係合した状態を維持可能なロック機構として形成されていることを特徴とするものである。
【００２０】
したがって、この発明によれば、突起部により付勢手段を押圧して付勢力を増大させ残留振動を低減することができるとともに、突起部が付勢手段と係合した状態でロックすることにより、当該ロックを解除しなければ情報処理装置を電子機器の筐体から引き抜くことができなくなり、セキュリティが確保される。
【００２１】
また、本発明（請求項５）は、前記付勢手段は板バネからなり、前記突起部と係合する係合穴を備えたことを特徴とするものである。
【００２２】
したがって、この発明によれば、残留振動低減機構とセキュリティ機構との一体化が簡易な構成によって実現される。
【発明の効果】
【００２３】
この発明（請求項１）によれば、情報処理装置の電子機器への挿入時に常に付勢手段による摩擦力を受けていることはないので、情報処理装置を電子機器内に円滑に挿入することができ、使い勝手を向上させることができる。また、情報処理装置の搭載後は突起部による付勢手段への押圧により残留振動を低減することができる。
【００２４】
また、この発明（請求項２）によれば、低減すべき振動量に応じて突起部および付勢手段の配設個数を調整することができるとともに、振動が増幅しやすい情報処理装置の前後端部において振動の増幅を効果的に抑制することができる。
【００２５】
また、この発明（請求項３）によれば、情報処理装置を所定の搭載位置に位置決めしてから、付勢手段を突起部によって押圧して付勢力を増大させ、残留振動を低減することができる。したがって、情報処理装置を電子機器の筐体内に挿入して搭載する時に、付勢手段と筐体との摩擦力が増大することがなく、搭載時の使い勝手を向上することができる。
【００２６】
また、この発明（請求項４）によれば、突起部により付勢手段を押圧して付勢力を増大させ残留振動を低減することができるとともに、突起部が付勢手段と係合した状態でロックすることにより、当該ロックを解除しなければ情報処理装置を電子機器の筐体から引き抜くことができなくなり、セキュリティを確保することができる。
【００２７】
また、この発明（請求項５）によれば、残留振動低減機構とセキュリティ機構との一体化を簡易な構成によって実現することができる。
【発明を実施するための最良の形態】
【００２８】
以下に、この発明に係る情報処理装置の搭載構造の実施例を図面に基づいて詳細に説明する。なお、この実施例によりこの発明が限定されるものではない。
【実施例１】
【００２９】
図１は、この発明の実施例１に係る情報処理装置の搭載構造を示す側面図、図２は、情報処理装置の搭載構造を示す分解斜視図、図３は、情報処理装置の搭載構造を示す組立斜視図、図４は、図３のＡ部を示す拡大斜視図である。
【００３０】
また、図５は、フック受け穴を備えた板バネを示す斜視図、図６は、情報処理装置の搭載構造を示す正面図、図７は、情報処理装置の搭載構造を示す背面図である。なお、以下の説明において、すでに説明した部材と同一もしくは相当する部材には、同一の符号を付して重複説明を省略または簡略化する。
【００３１】
本実施例１は、図示しないディスクアレイ装置等の電子機器にＨＤＤ（情報処理装置）１０を搭載するための構造に係るものである。本実施例１では、上記電子機器に１台のＨＤＤ１０を搭載する構造について説明する。図１，図６および図７に示すように、ＨＤＤ１０は、上記電子機器の上側シャーシ（筐体）２０および下側シャーシ（筐体）３０間に搭載される。上側シャーシ２０と下側シャーシ３０との間の最小間隔は、ＨＤＤ１０の高さ寸法よりも若干大きく設定されている。
【００３２】
また、ＨＤＤ１０には、図１〜図３に示すように、その天井面、正面および底面を囲むようにコ字状の支持体１５が設けられている。この支持体１５の天井面の前部および後部には、板バネ（付勢手段）４０を設けるための凹部１７と、板バネ（付勢手段）５０を設けるための凹部１８とがそれぞれ設けられている。
【００３３】
この凹部１７には、板バネ４０を位置決めするためのダボ１７ａと、板バネ４０をねじ４２によって固定するためのねじ穴１７ｂが設けられている。また、凹部１８にも同様に、板バネ５０を位置決めするためのダボ１８ａと、板バネ５０をねじ５２によって固定するためのねじ穴１８ｂが設けられている。
【００３４】
板バネ４０は、図１〜図６に示すように、上側シャーシ２０に固定された鍵６０のフック（突起部）７０に押圧されることによって、上述した従来の板バネ１４０（図１０参照）よりも更に大きい付勢力を得られるように設けたものである。板バネ４０，５０の強さ（硬さ）は、後述する理由によりＨＤＤ１０の搭載後にフック７０にて板バネ４０の付勢力を増大し残留振動を低減できるので、従来の板バネ１４０，１５０と同程度若しくはそれ以下であってもよい。
【００３５】
また、板バネ４０，５０を、ＨＤＤ１０の奥行き方向に沿って前部および後部に設けてあるので、振動が増幅しやすいＨＤＤ１０の前後端部において振動の増幅を効果的に抑制することができる。
【００３６】
また、板バネ４０は、図２および図５に示すように、凹部１７のダボ１７ａが係合するダボ穴４０ａと、ねじ４２を挿通するねじ挿通穴４０ｂと、フック７０の舌片部７０ａの一部が係合するフック受け穴（係合穴）４０ｃとを備えている。板バネ５０は、図２に示すように、凹部１８のダボ１８ａが係合するダボ穴５０ａと、ねじ５２を挿通するねじ挿通穴５０ｂを備えている。
【００３７】
また、鍵６０は、図１〜図４に示すように、上側シャーシ２０の取付穴２２にナット６４によって固定されている。また、図３および図４に示すように、鍵６０のフック７０は、鍵（図示せず）を鍵穴６２に挿入して一方向に回すことにより回動され、その舌片部７０ａの先端が板バネ４０のフック受け穴４０ｃに係合し、かつ、当該フック受け穴４０ｃの開口周縁部と当接することによって板バネ４０を押圧するように構成されている。
【００３８】
すなわち、フック７０の舌片部７０ａにより板バネ４０を押圧して付勢力を増大させ、ＨＤＤ１０の残留振動を低減することができるとともに、舌片部７０ａがフック受け穴４０ｃに係合した状態で鍵６０をロックすることにより、鍵６０のロックを解除しなければＨＤＤ１０をシャーシ２０，３０から引き抜くことができなくなるように構成されている。なお、上記鍵６０の基本構造は、公知技術により構成することができる。
【００３９】
以上のように、この実施例１に係る情報処理装置の搭載構造によれば、ＨＤＤ１０を所定の搭載位置に位置決めしてから、板バネ４０をフック７０によって押圧して付勢力を増大させ、残留振動を低減することができるので、板バネ４０，５０の強さ（硬さ）は、従来の板バネ１４０，１５０と同程度若しくはそれ以下でもよい。したがって、ＨＤＤ１０をシャーシ２０，３０間に挿入して搭載する時に、板バネ５０と上側シャーシ２０との摩擦力が増大することもないので、搭載時の使い勝手を損なうことがない。
【００４０】
また、フック７０の舌片部７０ａにより板バネ４０を押圧して付勢力を増大させ、ＨＤＤ１０の残留振動を低減することができるとともに、舌片部７０ａがフック受け穴４０ｃに係合した状態で鍵６０をロックすることができるので、残留振動低減機構とセキュリティ機構との一体化を簡易な構成によって実現することができる。
【００４１】
また、ロック機構として形成された鍵６０および板バネ４０は、上記電子機器の前面側に配置されているので、施錠または解錠の作業がし易く、使い勝手がよい。
【００４２】
なお、上記実施例１においては、情報処理装置としてＨＤＤ１０を例にして説明したが、これに限定されず、その他の装置であってもよい。
【００４３】
また、上記電子機器に１台のＨＤＤ１０を搭載するものとして説明したが、これに限定されず、２台以上のＨＤＤ１０を上記と同様の構成によって搭載することができる。
【００４４】
また、ＨＤＤ１０の奥行き方向に沿って２つの板バネ４０，５０を備えるものとして説明したが、これに限定されず、低減すべき残留振動に応じて３つ以上備えてもよい。
【００４５】
また、付勢手段として板バネ４０，５０を用いるものとして説明したが、これに限定されず、所定の付勢力により残留振動低減に寄与できるものであれば、コイルバネやゴム等を利用して付勢手段を構成してもよい。
【実施例２】
【００４６】
図８は、この発明の実施例２に係る情報処理装置の搭載構造を示す側面図、図９は、図８のＢ部を示す拡大図である。上記実施例１は、残留振動低減機構とセキュリティ機構とを一体化した構成であるが、本実施例２は、残留振動低減機構のみを提供するものである。
【００４７】
すなわち、図８および図９に示すように、電子機器の上側シャーシ２０は、板バネ４０，５０と対向する位置に当該板バネ４０，５０をそれぞれ付勢する突起部２４，２４を備え、ＨＤＤ１０は、当該突起部２４，２４によって当該板バネ４０，５０が付勢された状態で当該電子機器に搭載されている。
【００４８】
このように、従来技術に係る搭載構造（図１０参照）にあっては、ＨＤＤ１０をシャーシ２０，３０間に挿入する時に板バネ１４０，１５０は常に上側シャーシ２０と当接しているので、板バネ１４０，１５０の付勢力によって常に所定の摩擦力が生じている。
【００４９】
これに対して、本実施例２に係る搭載構造では、ＨＤＤ１０をシャーシ２０，３０間に挿入する時に板バネ４０，５０に付勢力が生じるのは、突起部２４，２４と当接する時のみであるから、ＨＤＤ１０の挿入時に常に当該付勢手段による摩擦力を受けていることはない。したがって、板バネ４０，５０の強さを従来の板バネ４０，５０より大きく設定して残留振動対策を強化しても、ＨＤＤ１０をシャーシ２０，３０間に円滑に挿入することができる。
【００５０】
以上のように、この実施例２に係る情報処理装置の搭載構造によれば、ＨＤＤ１０を電子機器に搭載する時の使い勝手を損なうことなく残留振動を低減することができる。
【００５１】
（付記１）電子機器の筐体に対し所定の押圧力を付与する付勢手段を備えた情報処理装置を当該電子機器内に当該付勢手段を介して搭載する情報処理装置の搭載構造において、
前記電子機器は、前記情報処理装置の前記付勢手段と対向する位置に当該付勢手段を付勢する突起部を備え、
前記情報処理装置は、当該突起部によって当該付勢手段が付勢された状態で前記電子機器に搭載されていることを特徴とする情報処理装置の搭載構造。
【００５２】
（付記２）前記突起部および前記付勢手段は、前記情報処理装置の奥行き方向に沿って複数設けられていることを特徴とする付記１に記載の情報処理装置の搭載構造。
【００５３】
（付記３）前記突起部は、前記付勢手段に対して進退自在に設けられ、前記情報処理装置が前記電子機器の所定位置に搭載された後に当該付勢手段を付勢したことを特徴とする付記１または２に記載の情報処理装置の搭載構造。
【００５４】
（付記４）前記突起部および前記付勢手段は、互いに係合可能に設けられているとともに、当該突起部は、当該付勢手段と係合した状態を維持可能なロック機構として形成されていることを特徴とする付記３に記載の情報処理装置の搭載構造。
【００５５】
（付記５）前記付勢手段は板バネからなり、前記突起部と係合する係合穴を備えたことを特徴とする付記４に記載の情報処理装置の搭載構造。
【００５６】
（付記６）ロック機構として形成された前記突起部および前記付勢手段は、前記電子機器の前面側に配置されていることを特徴とする付記４または５に記載の情報処理装置の搭載構造。
【産業上の利用可能性】
【００５７】
以上のように、この発明に係る情報処理装置の搭載構造は、情報処理装置を電子機器に搭載する時の使い勝手を損なうことなく残留振動を低減することができる構造に有用であり、特に、ＨＤＤの電子機器への搭載に適している。
【図面の簡単な説明】
【００５８】
【図１】この発明の実施例１に係る情報処理装置の搭載構造を示す側面図である。
【図２】情報処理装置の搭載構造を示す分解斜視図である。
【図３】情報処理装置の搭載構造を示す組立斜視図である。
【図４】図３のＡ部を示す拡大斜視図である。
【図５】フック受け穴を備えた板バネを示す斜視図である。
【図６】情報処理装置の搭載構造を示す正面図である。
【図７】情報処理装置の搭載構造を示す背面図である。
【図８】この発明の実施例２に係る情報処理装置の搭載構造を示す側面図である。
【図９】図８のＢ部を示す拡大図である。
【図１０】従来の情報処理装置の搭載構造を示す側面図である。
【図１１】図１０のＣ部を示す拡大図である。
【符号の説明】
【００５９】
１０  ＨＤＤ（情報処理装置）
２０  上側シャーシ（筐体）
２４  突起部
３０  下側シャーシ（筐体）
４０  板バネ（付勢手段）
４０ｃ  フック受け穴（係合穴）
５０  板バネ（付勢手段）
６０  鍵（ロック機構）
７０  フック（突起部）
７０ａ  舌片部（突起部）
【図１】
2006146616.tif 000003
【図２】
2006146616.tif 000004
【図３】
2006146616.tif 000005
【図４】
2006146616.tif 000006
【図５】
2006146616.tif 000007
【図６】
2006146616.tif 000008
【図７】
2006146616.tif 000009
【図８】
2006146616.tif 000010
【図９】
2006146616.tif 000011
【図１０】
2006146616.tif 000012
【図１１】
2006146616.tif 000013